(57)【要約】【課題】  表示装置が有する機能を適正に発揮させる。【解決手段】  それぞれ固有の識別符号を有する複数の表示装置がそれぞれ接続可能とされ、表示装置が接続されたときにモノクロ表示用の表示装置とカラー表示用の表示装置を識別符号によって識別し、モノクロ表示用の表示装置を識別したときにモノクロ信号を生成する制御処理が行われカラー表示用の表示装置を識別したときにカラー信号を生成する制御処理が行われるようにした。  これにより表示装置が有する機能を適正に発揮させることができる。【選択図】        図７
2013222119.tif 000002
【特許請求の範囲】
【請求項１】
それぞれ固有の識別符号を有する複数の表示装置がそれぞれ接続可能とされ、
前記表示装置が接続されたときにモノクロ表示用の表示装置とカラー表示用の表示装置を前記識別符号によって識別し、
前記モノクロ表示用の表示装置を識別したときにモノクロ信号を生成する制御処理が行われ前記カラー表示用の表示装置を識別したときにカラー信号を生成する制御処理が行われるようにした
表示制御機器。
【請求項２】
前記カラー表示用の表示装置を識別したときに、識別した表示装置の画素におけるカラーパターン配列に応じてカラーパターン配列の変換制御が可能とされた
請求項１に記載の表示制御機器。
【請求項３】
前記カラー表示用の表示装置を識別したときに、前記表示装置の表示画面の所定の領域にモノクロ画像を表示し前記所定の領域以外の領域にカラー画像を表示するように制御した
請求項１に記載の表示制御機器。
【請求項４】
前記モノクロ表示用の表示装置又は前記カラー表示用の表示装置を識別したときに、
前記表示装置において、ユーザーによって定められたユーザー設定情報を含む画像の表示が可能とされた
請求項１に記載の表示制御機器。
【請求項５】
前記モノクロ表示用の表示装置又は前記カラー表示用の表示装置を識別したときに、
前記表示装置において、調整された画質に基づく画像の表示が可能とされた
請求項１に記載の表示制御機器。
【請求項６】
それぞれ固有の識別符号を有する複数の表示装置と、
前記複数の表示装置がそれぞれ接続可能とされた表示制御機器とを備え、
前記表示制御機器は、
前記表示装置が接続されたときにモノクロ表示用の表示装置とカラー表示用の表示装置を前記識別符号によって識別し、
前記モノクロ表示用の表示装置を識別したときにモノクロ信号を生成する制御処理が行われ前記カラー表示用の表示装置を識別したときにカラー信号を生成する制御処理が行われるようにした
表示システム。
【発明の詳細な説明】
【技術分野】
【０００１】
本技術は表示制御機器及び表示システムについての技術分野に関する。詳しくは、表示装置が接続されたときに表示装置を識別符号によって識別し識別結果に基づいてモノクロ信号又はカラー信号を生成する制御処理が行われるようにして表示装置が有する機能を適正に発揮させる技術分野に関する。
【背景技術】
【０００２】
有機ＥＬ（Electro Luminescence）ディスプレイや液晶ディスプレイ等の表示部に画像を表示する表示装置として用いられる装置（機器）として、例えば、テレビジョン受像器、パーソナルコンピューター、ディスプレイ装置、携帯電話、タブレット端末等の各種のものが存在する。
【０００３】
特に、近年は、書籍の内容等の情報が入力されて表示画面に入力された情報を表示することが可能な電子書籍等の表示装置の普及も進んでいる。
【０００４】
このような各種の表示装置に対して各種の情報を入力することが可能な情報入力機器として機能する表示制御機器及びこれを備えた表示システムがある（例えば、特許文献１、図３等参照）。
【０００５】
特許文献１に記載された表示システムにあっては、表示制御機器として機能する情報処理部にＩＤ制御部が設けられ、表示装置として機能する表示部に識別符号（ＩＤ：Identification）が記憶された設定保持部が設けられている。設定保持部には、表示画面の大きさ、文書名、書込日時、機密情報、リンク情報等が記憶されている。
【０００６】
表示制御機器に表示装置が接続されると、ＩＤ制御部によって設定保持部からＩＤ制御信号が送出されて設定保持部に記憶された情報が読み込まれる。ＩＤ制御部によって情報が読み込まれると、表示制御機器に接続された表示装置の表示画面の大きさ等が検出される。
【０００７】
【特許文献１】特開２００１−６６９９９号公報
【発明の開示】
【発明が解決しようとする課題】
【０００８】
ところで、電子書籍等の表示装置においては、近年、モノクロ画像のみならずカラー画像の表示が可能にされたタイプが開発されており、表示制御機器から表示装置に入力される情報に関してもカラー画像の表示が可能とされた表示装置においてはカラー画像の表示が行われることが望ましい。
【０００９】
ところが、特許文献１に記載された表示制御機器及び表示システムにおいては、表示される画像の色までの情報は設定されておらず、カラー画像の表示が可能とされた表示装置においてもモノクロ画像のみの表示しか行われない。
【００１０】
従って、表示装置に適合した表示が行われず表示装置が有する機能を適正に発揮させることができないと言う問題がある。
【００１１】
そこで、本技術表示制御機器は、上記した問題点を克服し、表示装置が有する機能を適正に発揮させることを課題とする。
【課題を解決するための手段】
【００１２】
第１に、表示制御機器は、上記した課題を解決するために、それぞれ固有の識別符号を有する複数の表示装置がそれぞれ接続可能とされ、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにしたものである。
【００１３】
従って、表示制御機器においては、モノクロ表示用の表示装置を識別したときに表示装置にモノクロ画像が表示される処理が行われ、カラー表示用の表示装置を識別したときに表示装置にカラー画像が表示される処理が行われる。
【００１４】
第２に、表示制御機器は、前記カラー表示用の表示装置を識別したときに、識別した表示装置の画素におけるカラーパターン配列に応じてカラーパターン配列の変換制御が可能とされることが望ましい。
【００１５】
カラー表示用の表示装置を識別したときに、識別した表示装置の画素におけるカラーパターン配列に応じてカラーパターン配列の変換制御が可能とされることにより、各表示装置が予め有するカラーパターン配列に対応した配列が行われる。
【００１６】
第３に、表示制御機器は、前記カラー表示用の表示装置を識別したときに、前記表示装置の表示画面の所定の領域にモノクロ画像を表示し前記所定の領域以外の領域にカラー画像を表示するように制御することが望ましい。
【００１７】
カラー表示用の表示装置を識別したときに、表示装置の表示画面の所定の領域にモノクロ画像を表示し所定の領域以外の領域にカラー画像を表示するように制御することにより、カラー画像とモノクロ画像が同一の表示画面に表示される。
【００１８】
第４に、表示制御機器は、前記モノクロ表示用の表示装置又は前記カラー表示用の表示装置を識別したときに、前記表示装置において、ユーザーによって定められたユーザー設定情報を含む画像の表示が可能とされることが望ましい。
【００１９】
モノクロ表示用の表示装置又はカラー表示用の表示装置を識別したときに、表示装置において、ユーザーによって定められたユーザー設定情報を含む画像の表示が可能とされることにより、ユーザーによって定められたユーザー設定情報を含む画像の表示が行われる。
【００２０】
第５に、表示制御機器は、前記モノクロ表示用の表示装置又は前記カラー表示用の表示装置を識別したときに、前記表示装置において、調整された画質に基づく画像の表示が可能とされることが望ましい。
【００２１】
モノクロ表示用の表示装置又はカラー表示用の表示装置を識別したときに、表示装置において、調整された画質に基づく画像の表示が可能とされることにより、各表示装置において調整された画質に基づく画像の表示が行われる。
【００２２】
表示システムは、上記した課題を解決するために、それぞれ固有の識別符号を有する複数の表示装置と、前記複数の表示装置がそれぞれ接続可能とされた表示制御機器とを備え、前記表示制御機器は、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにしたものである。
【００２３】
従って、表示システムにおいては、表示制御機器がモノクロ表示用の表示装置を識別したときに表示装置にモノクロ画像が表示される処理が行われ、カラー表示用の表示装置を識別したときに表示装置にカラー画像が表示される処理が行われる。
【発明の効果】
【００２４】
本技術表示制御機器は、それぞれ固有の識別符号を有する複数の表示装置がそれぞれ接続可能とされ、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにしている。
【００２５】
従って、各表示装置に適合した表示が行われ、各表示装置が有する機能を適正に発揮させることができる。
【００２６】
請求項２に記載した技術にあっては、前記カラー表示用の表示装置を識別したときに、識別した表示装置の画素におけるカラーパターン配列に応じてカラーパターン配列の変換制御が可能とされている。
【００２７】
従って、各表示装置が予め有するカラーパターン配列に対応した配列が行われるため、汎用性の向上及び使い勝手の向上を図ることができる。
【００２８】
請求項３に記載した技術にあっては、前記カラー表示用の表示装置を識別したときに、前記表示装置の表示画面の所定の領域にモノクロ画像を表示し前記所定の領域以外の領域にカラー画像を表示するように制御している。
【００２９】
従って、カラー画像とモノクロ画像が同一の表示画面に表示され、機能性の向上による使い勝手の向上を図ることができる。
【００３０】
請求項４に記載した技術にあっては、前記モノクロ表示用の表示装置又は前記カラー表示用の表示装置を識別したときに、前記表示装置において、ユーザーによって定められたユーザー設定情報を含む画像の表示が可能とされている。
【００３１】
従って、ユーザーによって定められたユーザー設定情報を含む画像の表示が行われ、表示装置の高い機能性を確保することができる。
【００３２】
請求項５に記載した技術にあっては、前記モノクロ表示用の表示装置又は前記カラー表示用の表示装置を識別したときに、前記表示装置において、調整された画質に基づく画像の表示が可能とされている。
【００３３】
従って、各表示装置において表示される画像の品質の向上を図ることができる。
【００３４】
本技術表示システムは、それぞれ固有の識別符号を有する複数の表示装置と、前記複数の表示装置がそれぞれ接続可能とされた表示制御機器とを備え、前記表示制御機器は、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにしている。
【００３５】
従って、各表示装置に適合した表示が行われ、各表示装置が有する機能を適正に発揮させることができる。
【発明を実施するための最良の形態】
【００３６】
以下に、本技術を実施するための最良の形態を添付図面に従って説明する。
【００３７】
以下に示した最良の形態は、本技術表示制御機器を電子書籍等のタブレット端末としての機能を有する表示装置に対する制御を行う表示制御機器に適用し、本技術表示システムを電子書籍等のタブレット端末としての機能を有する表示装置と電子書籍に対する制御を行う表示制御機器とを有する表示システムに適用したものである。
【００３８】
尚、本技術表示制御機器の適用範囲は電子書籍等のタブレット端末としての機能を有する表示装置に対する制御を行う表示制御機器に限られることはない。本技術表示制御機器は、例えば、テレビジョン受像器、パーソナルコンピューター、ディスプレイ装置、携帯電話等の各種の表示装置に対する制御を行う表示制御機器に広く適用することができる。
【００３９】
また、本技術表示システムの適用範囲は電子書籍等のタブレット端末としての機能を有する表示装置と電子書籍に対する制御を行う表示制御機器とを有する表示システムに限られることはない。本技術表示システムは、例えば、テレビジョン受像器、パーソナルコンピューター、ディスプレイ装置、携帯電話等の各種の表示装置とこれらの各種の表示装置に対する制御を行う表示制御機器とを有する表示システムに広く適用することができる。
【００４０】
［表示システムの概略構成］
先ず、表示システムの概略構成について説明する（図１及び図２参照）。
【００４１】
表示システム１００は、それぞれ固有の識別符号（ＩＤ：Identification）を有する複数の表示装置５０、５１、５２、・・・と表示装置５０、５１、５２、・・・がそれぞれ接続可能とされた表示制御機器１とを備えている（図１参照）。
【００４２】
表示装置５０、５１、５２、・・・は、例えば、電子書籍であり、モノクロ画像を表示するモノクロ表示用のタイプ又はカラー画像を表示するカラー表示用のタイプである。尚、表示装置５０、５１、５２、・・・は、異なる表示領域においてモノクロ画像とカラー画像をそれぞれ表示可能なタイプであってもよい。
【００４３】
表示装置５０、５１、５２、・・・はメモリー性を有し、表示装置５０、５１、５２、・・・の表示画面には電源スイッチが操作されて電源の遮断後に再度電源が投入されたときに、電源が遮断される直前に表示されていた画像が表示される。
【００４４】
表示制御機器１には後述する画像メモリーが設けられており、この画像メモリーに情報入力部から各種の情報が入力されて記憶される。情報入力部は、例えば、スキャナー、デジタルカメラ等の撮像装置等の他、ダウンロード元となるサーバー等であり、入力される情報は、例えば、画像データーやテキストデーター等の各種の情報である。
【００４５】
表示制御機器１に表示装置５０、５１、５２、・・・がそれぞれ接続されると、表示制御機器１によって表示装置５０、５１、５２、・・・に情報が入力され、表示装置５０、５１、５２、・・・に対する情報の付加又は情報の書換が行われる（図２参照）。また、このとき表示制御機器１によってそれぞれが有する識別符号に基づいて表示装置５０、５１、５２、・・・がモノクロ表示用かカラー表示用かの何れかが識別される。
【００４６】
［表示制御機器と表示装置の構成例］
次に、表示制御機器と表示装置の構成例について説明する（図３参照）。
【００４７】
表示制御機器１には電源回路２と駆動回路３が設けられ、駆動回路３に対して電源回路２から駆動用の電源が供給される。電源回路２は表示装置５０、５１、５２、・・・に対しても駆動用（表示用）の電源を供給する機能を有している。
【００４８】
駆動回路３は制御部４と信号処理部５と画像メモリー６を有している。
【００４９】
制御部４は、表示制御機器１の全体の制御を司る機能を有し、例えば、ＣＰＵ（Central Processing Unit：中央処理装置）である。制御部４によって表示装置５０、５１、５２、・・・の何れが表示制御機器１に接続されたかが識別される。
【００５０】
信号処理部５は制御部４によって制御される。信号処理部５は、例えば、モノクロ画像／カラー画像の生成、画像の解像度の変換、カラーフィルターのカラーパターン配列の変換、タイミングコントローラーの制御等の各種の処理を行う。
【００５１】
画像メモリー６には画像データーやテキストデーター等の各種の情報が記憶されており、画像メモリー６に記憶されている情報は信号処理部５によって読み出される。
【００５２】
表示装置５０（５１、５２、・・・）には表示部６０が設けられ、表示部６０としては、例えば、有機ＥＬ（Electro Luminescence）ディスプレイや液晶ディスプレイやプラズマパネルディスプレイ等の各種のディスプレイが用いられている。
【００５３】
表示部６０には走査信号駆動回路６１とデーター信号駆動回路６２からそれぞれ走査信号とデーター信号（画像信号）が入力されて所定の画像が表示される。走査信号駆動回路６１とデーター信号駆動回路６２は表示制御機器１の信号処理部５によって制御される。
【００５４】
表示装置５０、５１、５２、・・・はＩＤ格納メモリー６３を有している。ＩＤ格納メモリー６３には、それぞれ表示装置５０（５１、５２、・・・）に１〜数ビットで形成された固有の識別符号（ＩＤ）が格納されている。
【００５５】
ＩＤ格納メモリー６３には、例えば、カラー／モノクロ情報、カラーパターン配列情報、解像度情報、駆動情報、画質調整情報、ユーザー設定情報等の各種の情報が記憶されている（図４参照）。
【００５６】
カラー／モノクロ情報は、表示装置５０、５１、５２、・・・がモノクロ表示用のタイプかカラー表示用のタイプかを識別するための情報である。
【００５７】
カラーパターン配列情報は、表示装置５０、５１、５２、・・・が有するカラーフィルターの配列情報である。
【００５８】
カラーフィルターの配列情報は、例えば、ＲＧＢＷ（レッド・グリーン・ブルー・ホワイト）の構成（図５に示す配列Ａ、配列Ｂ、配列Ｃ参照）であるか、画素がＲＧＢ（レッド・グリーン・ブルー）の構成（図６に示す配列Ｄ参照）であるかの情報である。また、カラーフィルターの配列情報は各画素における配列順序の情報、例えば、画素がＲＧＢＷの構成（図５参照）である場合に、ＲＧＢＷがどのような配列にされているかの情報（配列Ａ、配列Ｂ又は配列Ｃ）である。
【００５９】
また、画素の構成はＲＧＢ又はＲＧＢＷに限られることはなく、例えば、ＣＭＹ（シアン・マゼンタ・イエロー）やＣＭＹＷ（シアン・マゼンタ・イエロー・ホワイト）等であってもよい。
【００６０】
尚、図５及び図６には、カラーパターンの構成の例に加え、モノクロ表示用の表示装置における配列の構成の例（配列Ｘ及び配列Ｙ）を示している。表示装置５０、５１、５２、・・・のうちモノクロ表示用の表示装置は、配列Ｘ又は配列Ｙ等のモノクロ用の配列を有している。
【００６１】
解像度情報は、表示装置５０、５１、５２、・・・がそれぞれ有する解像度の情報である。
【００６２】
駆動情報は、表示装置５０、５１、５２、・・・がそれぞれ有する駆動周波数、タイミング特性、表示画面の大きさ等の各種の情報である。
【００６３】
画質調整情報は、表示装置５０、５１、５２、・・・がそれぞれ有するホワイトバランスやコントラスト等の各種の情報である。
【００６４】
ユーザー設定情報は、ユーザーによって表示装置５０、５１、５２、・・・に対してそれぞれ入力された各種の情報である。ユーザー設定情報としては、例えば、画像として出力される文字の大きさ、文字の種類、文書名、書込日時、機密情報、リンク情報、直前の表示内容の情報、電源投入後に直前の内容が表示されるようにした情報等の各種の情報である。
【００６５】
［表示制御機器の動作］
次に、表示制御機器１の動作について説明する（図７参照）。
【００６６】
（Ｓ１）表示制御機器１に表示装置５０（５１、５２、・・・）が接続されると動作が開始され、制御部４によって表示装置５０（５１、５２、・・・）のＩＤ格納メモリー６３に格納された固有の識別符号（ＩＤ）が読み取られる。制御部４によって表示装置５０（５１、５２、・・・）の固有の識別符号が読み取られると、表示装置５０、５１、５２、・・・の何れが表示制御機器１に接続されたかが識別される。
【００６７】
（Ｓ２）制御部４による識別によって、表示制御機器１にモノクロ表示用の表示装置が接続されたことが検出された場合には（Ｓ３）に移行し、表示制御機器１にカラー表示用の表示装置が接続されたことが検出された場合には（Ｓ４）に移行する。
【００６８】
（Ｓ３）信号処理部５によって原画像からＲ／Ｇ／Ｂのデーターが取得されてグレースケール変換処理が行われ、表示装置５０（５１、５２、・・・）に表示される画像が補正される。例えば、１画素毎のＲ／Ｇ／Ｂのデーターが取得され、
（１）Ｍ＝（Ｉ×Ｒ）＋（Ｊ×Ｇ）＋（Ｋ×Ｂ）
等の単色のグレースケール変換処理が行われる。式（１）において、ＲＧＢはそれぞれのデーターであり、ＩＪＫはそれぞれ係数である。このようにして算出されたＭに基づいて表示装置５０（５１、５２、・・・）に応じた階調数調整や画質調整等の画像補正が行われる。
【００６９】
（Ｓ４）識別した表示装置の画素におけるカラーパターン配列が、配列Ａ（図５参照）である場合には（Ｓ５）に移行し、配列Ｂ（図５参照）である場合には（Ｓ６）に移行する。尚、本動作においては、配列Ａと配列Ｂの二つの異なる配列が設定されている例を示したいるが、配列の種類は二つに限られることはなく、配列の種類が三つ以上設定されていてもよい。
【００７０】
（Ｓ５）信号処理部５によって原画像からＲ／Ｇ／Ｂのデーターが取得される。このとき、例えば、画素にＷ（ホワイト）が存在する場合には、Ｗのデーターを生成する変換処理が行われ、表示装置５０（５１、５２、・・・）に表示される画像が補正される。例えば、１画素毎のＲ／Ｇ／Ｂのデーターが取得され、
（２）Ｗ＝（Ｒ＋Ｇ＋Ｂ）／３
等の変換処理が行われる。式（２）において、ＲＧＢはそれぞれのデーターである。このようにして算出されたＷのデーターとＲ／Ｇ／Ｂのデーターが配列Ａに並び替えられ、表示装置５０（５１、５２、・・・）に応じた階調数調整や画質調整等の画像補正が行われる。尚、Ｒ／Ｇ／Ｂ／Ｗのデーターはそれぞれ演算によって取得されてもよい。
【００７１】
（Ｓ６）信号処理部５によって原画像からＲ／Ｇ／Ｂのデーターが取得される。このとき、例えば、画素にＷ（ホワイト）が存在する場合には、Ｗのデーターを生成する変換処理が行われ、表示装置５０（５１、５２、・・・）に表示される画像が補正される。例えば、１画素毎のＲ／Ｇ／Ｂのデーターが取得され、
（２）Ｗ＝（Ｒ＋Ｇ＋Ｂ）／３
等の変換処理が行われる。式（２）において、ＲＧＢはそれぞれのデーターである。このようにして算出されたＷのデーターとＲ／Ｇ／Ｂのデーターが配列Ｂに並び替えられ、表示装置５０（５１、５２、・・・）に応じた階調数調整や画質調整等の画像補正が行われる。尚、Ｒ／Ｇ／Ｂ／Ｗのデーターはそれぞれ演算によって取得されてもよい。
【００７２】
（Ｓ７）補正が行われた画像データーが表示装置５０（５１、５２、・・・）に送出される。表示装置５０（５１、５２、・・・）においては、入力された画像データーに基づいて表示部６０に補正された画像が表示され、動作が終了する。
【００７３】
［他の例］
上記には、モノクロ画像を表示するモノクロ表示用又はカラー画像を表示するカラー表示用の表示装置５０、５１、５２、・・・の例を示したが、例えば、図８に示すように、異なる表示領域においてモノクロ画像とカラー画像をそれぞれ表示する表示装置７０を用いることも可能である。
【００７４】
表示装置７０はカラー表示用の表示装置として表示制御機器１の制御部４に識別される。
【００７５】
このようにカラー表示用の表示装置７０を識別したときに、異なる表示領域においてモノクロ画像とカラー画像がそれぞれ表示されることにより、カラー画像とモノクロ画像が同一の表示画面に表示され、機能性の向上による使い勝手の向上を図ることができる。
【００７６】
［表示システムの別の例］
以下に、表示システムの別の例について説明する（図９参照）。
【００７７】
表示システム２００は複数の表示制御機器、例えば、三つの表示制御機器１Ａ、１Ｂ、１Ｃと表示装置５０、５１、５２、・・・とを有している。尚、表示制御機器及び表示装置の数は複数であれば任意である。
【００７８】
表示制御機器１Ａ、１Ｂ、１Ｃには画像配信ユニット８０から有線又は無線により画像信号（画像情報）が配信される。
【００７９】
表示制御機器１Ａ、１Ｂ、１Ｃにはそれぞれ固有の識別符号を有する複数の表示装置５０、５１、５２、５３、・・・がそれぞれ接続可能とされている。表示装置５０、５１、５２、５３、・・・は、モノクロ画像を表示するモノクロ表示用又はカラー画像を表示するカラー表示用である。尚、表示装置５０、５１、５２、５３、・・・は、異なる表示領域においてモノクロ画像とカラー画像をそれぞれ表示するタイプであってもよい。
【００８０】
このように画像配信ユニット８０から画像信号が表示制御機器１Ａ、１Ｂ、１Ｃに配信される表示システム２００にあっては、画像配信ユニット８０から配信される情報がそれぞれモノクロ画像又はカラー画像として表示装置５０、５１、５２、５３、・・・において表示される。
【００８１】
［まとめ］
以上に記載した通り、表示制御機器１、１Ａ、１Ｂ、１Ｃにあっては、モノクロ表示用の表示装置とカラー表示用の表示装置とを識別符号によって識別し、モノクロ表示用の表示装置を識別したときにモノクロ信号を生成する制御処理を行いカラー表示用の表示装置を識別したときにカラー信号を生成する制御処理を行う。
【００８２】
従って、表示装置５０、５１、５２、・・・に適合した表示が行われ、表示装置５０、５１、５２、・・・が有する機能を適正に発揮させることができる。
【００８３】
また、ユーザーがモノクロ画像表示かカラー画像表示かの設定をしなくても、表示装置の仕様に適合した画像が自動的に表示され、使い勝手の向上を図ることができる。
【００８４】
さらに、カラー表示用の表示装置を識別したときに、識別した表示装置の画素におけるカラーパターン配列に応じてカラーパターン配列の変換制御が可能とされている。
【００８５】
従って、表示装置５０、５１、５２、・・・が予め有するカラーパターン配列に対応した配列が行われるため、汎用性の向上及び使い勝手の向上を図ることができる。
【００８６】
尚、表示制御機器１、１Ａ、１Ｂ、１Ｃにあっては、モノクロ表示用の表示装置又はカラー表示用の表示装置を識別したときに、表示装置５０、５１、５２、・・・においてユーザーによって定められたユーザー設定情報を含む画像の表示が行われるようにすることも可能である。
【００８７】
このようにユーザーによって定められたユーザー設定情報を含む画像の表示が行われるようにすることにより、表示装置５０、５１、５２、・・・の高い機能性を確保することができる。
【００８８】
また、モノクロ表示用の表示装置又はカラー表示用の表示装置を識別したときに、表示装置５０、５１、５２、・・・において調整された画質に基づく画像の表示が行われるようにすることも可能である。
【００８９】
このように表示装置５０、５１、５２、・・・において調整された画質に基づく画像の表示が行われるようにすることにより、表示装置５０、５１、５２、・・・において表示される画像の品質の向上を図ることができる。
【００９０】
［本技術］
本技術は、以下のような構成にすることもできる。
【００９１】
（１）それぞれ固有の識別符号を有する複数の表示装置がそれぞれ接続可能とされ、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにした表示制御機器。
【００９２】
（２）前記カラー表示用の表示装置を識別したときに、識別した表示装置の画素におけるカラーパターン配列に応じてカラーパターン配列の変換制御が可能とされた前記（１）に記載の表示制御機器。
【００９３】
（３）前記カラー表示用の表示装置を識別したときに、前記表示装置の表示画面の所定の領域にモノクロ画像を表示し前記所定の領域以外の領域にカラー画像を表示するように制御した前記（１）又は前記（２）に記載の表示制御機器。
【００９４】
（４）前記モノクロ表示用の表示装置又は前記カラー表示用の表示装置を識別したときに、前記表示装置において、ユーザーによって定められたユーザー設定情報を含む画像の表示が可能とされた前記（１）から前記（３）の何れかに記載の表示制御機器。
【００９５】
（５）前記モノクロ表示用の表示装置又は前記カラー表示用の表示装置を識別したときに、前記表示装置において、調整された画質に基づく画像の表示が可能とされた前記（１）から前記（４）の何れかに記載の表示制御機器。
【００９６】
（６）それぞれ固有の識別符号を有する複数の表示装置と、前記複数の表示装置がそれぞれ接続可能とされた表示制御機器とを備え、前記表示制御機器は、前記表示装置が接続されたときにモノクロ表示用の表示装置とカラー表示用の表示装置を前記識別符号によって識別し、前記モノクロ表示用の表示装置を識別したときにモノクロ信号を生成する制御処理が行われ前記カラー表示用の表示装置を識別したときにカラー信号を生成する制御処理が行われるようにした表示システム。
【００９７】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【００９８】
【図１】図２乃至図９と共に本技術の最良の形態を示すものであり、本図は、表示システムの概略構成を示す図である。
【図２】表示装置の情報の内容が書き換えられるときの状態を示す図である。
【図３】表示制御機器と表示装置のブロック図である。
【図４】表示装置のＩＤ格納メモリーに記憶される情報の例を示す図である。
【図５】画素の配列状態を示す模式図である。
【図６】画素の配列状態の別の例を示す模式図である。
【図７】表示制御機器の動作を示すフローチャート図である。
【図８】異なる表示領域においてモノクロ画像とカラー画像がそれぞれ表示される表示装置の例を示す図である。
【図９】画像配信ユニットから画像情報が配信される表示システムの例を示す模式図である。
【符号の説明】
【００９９】
１００…表示システム、１…表示制御機器、５０…表示装置、５１…表示装置、５２…表示装置、５３…表示装置、７０…表示装置、２００…表示システム、１Ａ…表示制御機器、１Ｂ…表示制御機器、１Ｃ…表示制御機器
【図１】
2013222119.tif 000003
【図２】
2013222119.tif 000004
【図３】
2013222119.tif 000005
【図４】
2013222119.tif 000006
【図５】
2013222119.tif 000007
【図６】
2013222119.tif 000008
【図７】
2013222119.tif 000009
【図８】
2013222119.tif 000010
【図９】
2013222119.tif 000011